(57)【要約】【課題】通信端末に生じた情報を適切にユーザに提示する。【解決手段】表示装置は、出力部１０４部と、映像データ及び音声データを片方向で伝送可能であり、かつ、制御データを双方向で伝送可能である通信規格に従って、通信端末と通信する通信部１０１と、（ｉ）通信端末からユーザへの通知を示す通知情報の所在を示す所在情報を制御データとして通信部１０１を通じて取得し、（ｉｉ）取得した所在情報に示される所在から通知情報を制御データとして通信部１０１を通じて取得し、（ｉｉｉ）取得した通知情報を出力部１０４に表示する通知制御部１０２と、通知制御部１０２が表示した前記通知情報に対応する映像データを通信部１０１を通じて通信端末から取得し、取得した映像データに基づいて出力部１０４に映像を表示する処理を行うコンテンツ処理部１０３とを備える。【選択図】図２
2015192400.tif 000002
【特許請求の範囲】
【請求項１】
表示部と、
映像データ及び音声データを片方向で伝送可能であり、かつ、制御データを双方向で伝送可能である通信規格に従って、通信端末と通信する通信部と、
（ｉ）前記通信端末からユーザへの通知を示す通知情報の所在を示す所在情報を、前記制御データとして前記通信部を通じて取得し、（ｉｉ）取得した前記所在情報に示される前記所在から前記通知情報を、前記制御データとして前記通信部を通じて取得し、（ｉｉｉ）取得した前記通知情報を前記表示部に表示する通知制御部と、
前記通知制御部が表示した前記通知情報に対応する映像データを前記通信部を通じて前記通信端末から取得し、取得した前記映像データに基づいて前記表示部に映像を表示する処理を行う映像処理部とを備える
表示装置。
【請求項２】
前記所在情報は、前記通知情報が格納された電子ファイルのファイル名と、前記電子ファイルが格納された場所を示す格納場所情報とを含み、
前記通知制御部は、
前記所在情報に含まれる前記格納場所情報により示される前記所在から前記電子ファイルを取得することで、前記通知情報を取得する
請求項１に記載の表示装置。
【請求項３】
前記通知制御部は、
前記通知情報を表示する際の表示態様を示す表示情報を、前記所在情報とともに前記制御データとして取得し、
取得した前記表示情報に従った表示態様で前記通知情報を前記表示部に表示する
請求項１又は２に記載の表示装置。
【請求項４】
前記表示部は、
画像を表示しており、
前記通知制御部は、
前記表示部が表示している前記画像の一部に重畳させて前記通知情報を表示する
請求項１〜３のいずれか１項に記載の表示装置。
【請求項５】
前記表示装置は、さらに、
前記ユーザによる操作を受け付ける受付部を備え、
前記映像処理部は、
前記通知制御部が表示した前記通知情報に対する前記ユーザの操作が前記受付部により受け付けられた場合に、前記映像データを取得し、前記映像を表示する
請求項１〜４のいずれか１項に記載の表示装置。
【請求項６】
前記表示装置は、さらに、
音声出力部を備え、
前記通知制御部は、さらに、
取得した前記通知情報を前記音声出力部により出力し、
前記映像処理部は、
前記映像データの表示中に出力されるべき音声データを前記映像データとともに取得し、前記表示部による前記映像データの表示中に、取得した前記音声データを前記音声出力部により出力する
請求項１〜５のいずれか１項に記載の表示装置。
【請求項７】
前記通信規格は、ＭＨＬ（Ｍｏｂｉｌｅ  Ｈｉｇｈ−ｄｅｆｉｎｉｔｉｏｎ  Ｌｉｎｋ）規格であり、
前記通知制御部は、ＭＨＬ規格におけるスクラッチパッド機能を用いて前記通知情報を取得する
請求項１〜６のいずれか１項に記載の表示装置。
【請求項８】
表示装置における表示方法であって、
前記表示装置は、
表示部と、
映像データ及び音声データを片方向で伝送可能であり、かつ、制御データを双方向で伝送可能である通信規格に従って、通信端末と通信する通信部とを備え、
前記表示方法は、
（ｉ）前記通信端末からユーザへの通知を示す通知情報の所在を示す所在情報を前記制御データとして前記通信部を通じて取得し、（ｉｉ）取得した前記所在情報に示される前記所在から前記通知情報を前記制御データとして前記通信部を通じて取得し、（ｉｉｉ）取得した前記通知情報を前記表示部に表示する通知制御ステップと、
前記通知制御ステップで表示した前記通知情報に対応する映像データを前記通信部を通じて前記通信端末から取得し、取得した前記映像データに基づいて前記表示部に映像を表示する処理を行う映像処理ステップとを含む
表示方法。
【請求項９】
通信端末であって、
映像データ及び音声データを片方向で伝送可能であり、かつ、制御データを双方向で伝送可能である通信規格に従って、表示装置と通信する通信部と、
前記通信端末からユーザへの通知を示す通知情報を記憶している記憶部と、
（ｉ）前記通知情報の所在を示す所在情報を前記制御データとして前記通信部を通じて送信し、（ｉｉ）前記表示装置からの要求に応じて前記通知情報を前記制御データとして前記通信部を通じて送信する通知制御部と、
前記表示装置からの要求に応じて、前記通知に対応する映像データに基づいて前記表示装置に映像を表示させるように、前記映像データを送信する処理を行う映像処理部とを備える
通信端末。
【請求項１０】
請求項１〜７のいずれか１項に記載の表示装置と、
請求項９に記載の通信端末とを備え、
前記表示装置と前記通信端末とが、前記通信規格に従って互いに通信する
表示システム。
【発明の詳細な説明】
【技術分野】
【０００１】
本発明は、表示装置、表示方法、通信端末、及び、表示システムに関する。
【背景技術】
【０００２】
通信端末（携帯電話端末又はスマートフォンなど）から、表示装置へ映像データ及び音声データを転送する通信規格として、例えば、ＭＨＬ（Ｍｏｂｉｌｅ  Ｈｉｇｈ−ｄｅｆｉｎｉｔｉｏｎ  Ｌｉｎｋ）規格、又は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格が提案されている。このような通信規格によれば、通信端末のような比較的小さな表示画面を有するデバイスから、テレビのような比較的大きな表示画面を有するデバイスへ映像データ及び音声データを転送することができる。これにより、通信端末が保有する音声又は映像コンテンツをテレビで再生することができる。ユーザは、通信端末を用いることによっては視聴することができない映像及び音声を視聴することができる。
【０００３】
特許文献１は、表示装置へ転送する画像に関する情報をＭＨＬ規格で通信する電子機器を開示する。
【先行技術文献】
【特許文献】
【０００４】
【特許文献１】特開２０１２−１６９７０２号公報
【発明の概要】
【発明が解決しようとする課題】
【０００５】
しかしながら、通信端末は、表示装置に画像を送信している途中にユーザに提示すべき情報が生じた場合、この情報を適切にユーザに提示することができないという問題がある。
【０００６】
そこで、本発明は、通信端末に生じた情報を適切にユーザに提示する表示装置などを提供することを目的とする。
【課題を解決するための手段】
【０００７】
上記目的を達成するために、本発明の一態様に係る表示装置は、表示部と、映像データ及び音声データを片方向で伝送可能であり、かつ、制御データを双方向で伝送可能である通信規格に従って、通信端末と通信する通信部と、（ｉ）前記通信端末からユーザへの通知を示す通知情報の所在を示す所在情報を、前記制御データとして前記通信部を通じて取得し、（ｉｉ）取得した前記所在情報に示される前記所在から前記通知情報を、前記制御データとして前記通信部を通じて取得し、（ｉｉｉ）取得した前記通知情報を前記表示部に表示する通知制御部と、前記通知制御部が表示した前記通知情報に対応する映像データを前記通信部を通じて前記通信端末から取得し、取得した前記映像データに基づいて前記表示部に映像を表示する処理を行う映像処理部とを備える。
【０００８】
これによれば、表示装置は、通信端末に生じた情報である通知の内容を制御データとして取得及び表示し、その後、上記通知に対応する映像データを表示する。表示装置が映像を表示しているときであっても通信端末からの通知を表示することができるので、ユーザは、上記通知を閲覧することができる。さらに、ユーザは、表示装置が表示する上記通知に関する映像を閲覧することができる。よって、表示装置は、通信端末に生じた情報を適切にユーザに提示することができる。
【０００９】
例えば、前記所在情報は、前記通知情報が格納された電子ファイルのファイル名と、前記電子ファイルが格納された場所を示す格納場所情報とを含み、前記通知制御部は、前記所在情報に含まれる前記格納場所情報により示される前記所在から前記電子ファイルを取得することで、前記通知情報を取得するようにしても良い。
【００１０】
これによれば、表示装置は、通知の内容が格納された電子ファイルを取得することで通知の内容を取得する。よって、表示装置は、より少ないデータ通信により通知の内容を取得することができる。
【００１１】
また、前記通知制御部は、前記通知情報を表示する際の表示態様を示す表示情報を、前記所在情報とともに前記制御データとして取得し、取得した前記表示情報に従った表示態様で前記通知情報を前記表示部に表示するようにしても良い。
【００１２】
これによれば、表示装置は、通信端末により指定される表示態様で通知の内容を表示する。通知の内容に応じて表示態様を変更することができるので、通知の内容をより直感的にユーザに伝えることができる。
【００１３】
また、前記表示部は、画像を表示しており、前記通知制御部は、前記表示部が表示している前記画像の一部に重畳させて前記通知情報を表示するようにしても良い。
【００１４】
これによれば、表示装置が何らかの映像を表示しているときに、その映像の表示を続けながら画面の一部に通知の内容を表示する。これにより、ユーザは、映像を引続き視聴しながら通知の内容を閲覧することができる。よって、表示装置は、より高い利便性をユーザに提供することができる。
【００１５】
また、前記表示装置は、さらに、前記ユーザによる操作を受け付ける受付部を備え、前記映像処理部は、前記通知制御部が表示した前記通知情報に対する前記ユーザの操作が前記受付部により受け付けられた場合に、前記映像データを取得し、前記映像を表示するようにしても良い。
【００１６】
これによれば、表示装置は、表示した通知の内容についてユーザが所定の操作を行った場合に、その通知に関する映像を表示する。これにより、ユーザは、通知の内容に応じてその後の映像を表示装置に表示させるか否かを決定できる。よって、表示装置は、より高い利便性をユーザに提供することができる。
【００１７】
また、前記表示装置は、さらに、音声出力部を備え、前記通知制御部は、さらに、取得した前記通知情報を前記音声出力部により出力し、前記映像処理部は、前記映像データの表示中に出力されるべき音声データを前記映像データとともに取得し、前記表示部による前記映像データの表示中に、取得した前記音声データを前記音声出力部により出力するようにしても良い。
【００１８】
これによれば、表示装置は、音声により通知の内容をユーザに提示し、また、その通知に関する映像とともに音声をユーザに提示する。ユーザは、映像だけでなく音声により通信端末からの通知を視聴することができる。
【００１９】
また、前記通信規格は、ＭＨＬ（Ｍｏｂｉｌｅ  Ｈｉｇｈ−ｄｅｆｉｎｉｔｉｏｎ  Ｌｉｎｋ）規格であり、前記通知制御部は、ＭＨＬ規格におけるスクラッチパッド機能を用いて前記通知情報を取得するようにしても良い。
【００２０】
これによれば、表示装置は、ＭＨＬ規格を用いて映像データ、音声データ及び制御データを取得する。また、表示装置は、ＭＨＬ規格におけるスクラッチパッド機能を用いて通知の内容を取得する。標準化された通信規格を用いるので、表示装置のコストを低減させるとともに、多くの通信端末と接続が可能になる。
【００２１】
また、本発明の一態様に係る表示方法は、表示装置における表示方法であって、前記表示装置は、表示部と、映像データ及び音声データを片方向で伝送可能であり、かつ、制御データを双方向で伝送可能である通信規格に従って、通信端末と通信する通信部とを備え、前記表示方法は、（ｉ）前記通信端末からユーザへの通知を示す通知情報の所在を示す所在情報を前記制御データとして前記通信部を通じて取得し、（ｉｉ）取得した前記所在情報に示される前記所在から前記通知情報を前記制御データとして前記通信部を通じて取得し、（ｉｉｉ）取得した前記通知情報を前記表示部に表示する通知制御ステップと、前記通知制御ステップで表示した前記通知情報に対応する映像データを前記通信部を通じて前記通信端末から取得し、取得した前記映像データに基づいて前記表示部に映像を表示する処理を行う映像処理ステップとを含む。
【００２２】
これにより、上記の表示装置と同様の効果を奏する。
【００２３】
また、本発明の一態様に係る通信端末は、通信端末であって、映像データ及び音声データを片方向で伝送可能であり、かつ、制御データを双方向で伝送可能である通信規格に従って、表示装置と通信する通信部と、前記通信端末からユーザへの通知を示す通知情報を記憶している記憶部と、（ｉ）前記通知情報の所在を示す所在情報を前記制御データとして前記通信部を通じて送信し、（ｉｉ）前記表示装置からの要求に応じて前記通知情報を前記制御データとして前記通信部を通じて送信する通知制御部と、前記表示装置からの要求に応じて、前記通知に対応する映像データに基づいて前記表示装置に映像を表示させるように、前記映像データを送信する処理を行う映像処理部とを備える。
【００２４】
これによれば、通信端末は、上記の表示装置に通知の内容、及び、通知に対応する映像データを適切に提供することができる。
【００２５】
また、本発明の一態様に係る表示システムは、上述した表示装置と、上述した通信端末とを備え、前記表示装置と前記通信端末とが、前記通信規格に従って互いに通信する。
【００２６】
これにより、上記の表示装置と同様の効果を奏する。
【００２７】
なお、本発明は、このような特徴的な処理部を備える表示装置として実現することができるだけでなく、表示装置に含まれる特徴的な処理部が実行する処理をステップとする表示方法として実現することができる。また、表示装置に含まれる特徴的な処理部としてコンピュータを機能させるためのプログラムまたは表示方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２８】
本発明によると、表示装置は、通信端末に生じた情報を適切にユーザに提示することができる。
【図面の簡単な説明】
【００２９】
【図１】実施の形態に係る表示装置を含む表示システムの構成図
【図２】実施の形態に係る表示装置の機能ブロック図
【図３Ａ】実施の形態に係る所在情報の説明図
【図３Ｂ】実施の形態に係る表示情報の説明図
【図４】実施の形態に係る表示装置の通信部の詳細な機能ブロック図
【図５】実施の形態に係る表示装置の通知制御部の詳細な機能ブロック図
【図６】実施の形態に係る表示装置のコンテンツ処理部の詳細な機能ブロック図
【図７】実施の形態に係る表示装置の出力部の詳細な機能ブロック図
【図８】実施の形態に係る通信端末の機能ブロック図
【図９】実施の形態に係る表示装置の処理を示すフローチャート
【図１０】実施の形態に係る通信端末の処理を示すフローチャート
【図１１】実施の形態に係る表示装置及び通信端末の処理を示すシーケンス図
【図１２】実施の形態の変形例１に係る表示装置及び通信端末の処理を示すシーケンス図
【図１３】実施の形態の変形例２に係る表示装置及び通信端末の処理を示すシーケンス図
【発明を実施するための形態】
【００３０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３１】
（実施の形態）
図１は、本実施の形態に係る表示装置を含む表示システムの構成図である。図１に示されるように表示システム１は、表示装置１０と、通信端末２０とを備える。また、表示装置１０と通信端末２０とは、所定の通信規格での通信が可能なケーブル３０により接続されている。
【００３２】
表示装置１０は、所定の通信規格に従って通信端末２０と通信することで、通信端末２０から音声データ又は映像データを受信する。また、表示装置１０は、通信端末２０との間で制御データを送受信する。なお、表示装置１０は、例えば、テレビジョン受像機である。
【００３３】
通信端末２０は、外部の装置から受信した映像データに基づいて映像を表示し、また、外部の装置から受信した音声データに基づいて音声を出力する表示装置である。通信端末２０は、所定の通信規格に従って表示装置１０と通信する通信端末である。通信端末２０は、上記通信を通じて表示装置１０に映像データ及び音声データを送信する。また、通信端末２０は、表示装置１０との間で制御データを送受信する。通信端末２０は、表示装置１０との通信のための接続の他にも、携帯電話網又は公衆通信網などを介したインターネットへの接続を有していてもよい。なお、通信端末２０は、例えば、携帯電話端末、スマートフォン（高機能携帯電話端末）、又は、タブレットなどで実現される。
【００３４】
図２は、本実施の形態に係る表示装置の機能ブロック図である。図２に示されるように、表示装置１０は、通信部１０１と、通知制御部１０２と、コンテンツ処理部１０３と、出力部１０４とを備える。また、表示装置１０は、さらに、受付部１０５を備えてもよい。
【００３５】
出力部１０４は、映像を表示し、又は、音声を出力する出力装置である。
【００３６】
通信部１０１は、映像データ及び音声データを片方向で伝送可能であり、かつ、制御データを双方向で伝送可能である通信規格に従って、通信端末２０と通信する通信インタフェースである。通信部１０１は、上記通信規格を通じて、映像データ及び音声データを受信することができるが、送信することができない。また、通信部１０１は、上記通信規格を通じて、制御データを送受信することができる。なお、上記通信規格は、例えば、ＭＨＬ（Ｍｏｂｉｌｅ  Ｈｉｇｈ−ｄｅｆｉｎｉｔｉｏｎ  Ｌｉｎｋ）規格である。
【００３７】
通知制御部１０２は、通信端末２０からユーザへの通知を示す通知情報の所在を示す所在情報を制御データとして通信部１０１を通じて取得する。また、通知制御部１０２は、取得した所在情報に基づいて通知情報を取得する。また、通知制御部１０２は、取得した通知情報を出力部により表示する。以下で具体的に説明する。
【００３８】
通知制御部１０２は、通知情報の所在を示す所在情報を、上記通信規格における制御データとして取得する。通知情報とは、通信端末２０からユーザへの通知の種別情報、通知の発生日時、又は、通知の具体的内容などを示す情報のことである。また、通知情報は、通信端末２０の記憶部２０２の所定の格納場所に、電子ファイル（以降、単に「ファイル」ともいう）として格納される。
【００３９】
また、通知情報についての所在情報とは、通知情報が格納された通信端末２０内の格納場所についての情報のことである。所在情報は、具体的には、通知情報が格納されたファイルのファイル名と、当該ファイルの格納場所情報（パス）とを含む。
【００４０】
なお、上記において所在情報を取得する際に、ＭＨＬ規格におけるスクラッチパッド機能（以降、単に「スクラッチパッド」ともいう）を用いることができる。スクラッチパッドとは、ＭＨＬ規格による通信を行う機器のそれぞれにおける所定のメモリ領域を同期させる機能である。スクラッチパッドにより、ＭＨＬ規格による通信を行う一方の機器において所定のメモリ領域に書き込んだ情報が、他方の機器の対応するメモリ領域に書き込まれる。
【００４１】
なお、上記において所在情報を取得する際に、スクラッチパッドではなく、ＭＨＬ規格におけるＲＣＰ（Ｒｅｍｏｔｅ  Ｃｏｎｔｒｏｌ  Ｐｒｏｔｏｃｏｌ）を用いて取得することも可能である。
【００４２】
また、通知制御部１０２は、取得した所在情報に含まれる格納場所情報により示される格納場所から、所在情報に含まれるファイル名により示されるファイルを上記通信規格における制御データとして取得する。これにより、通知制御部１０２は、通信端末２０から通知情報を取得する。なお、通知情報は、例えば、テキスト形式の情報である。
【００４３】
通知制御部１０２は、所在情報とともに表示態様情報（以降、「表示情報」ともいう）を取得してもよい。表示情報とは、通知情報を表示装置１０の出力部１０４により表示するときの表示態様を示す情報である。表示情報は、例えば、フェードイン、カットイン又はスライドインなどがあり得る。表示情報については、後で別途説明する。
【００４４】
また、通知制御部１０２は、通信端末２０から取得した通知情報を出力部１０４により表示する。通知制御部１０２は、通知情報を表示する際に、出力部１０４における表示画面の一部に表示用の領域を確保し、確保した領域に通知情報を重畳させるように表示（いわゆるポップアップ表示）してもよい。また、通知制御部１０２は、通知情報を表示する際に、表示情報により示される表示態様で通知情報を表示するようにしてもよい。
【００４５】
コンテンツ処理部１０３は、通信端末２０からユーザへの通知に対応する映像データを通信部１０１を通じて取得し、取得した映像データに基づいて出力部１０４により映像を表示する処理を行う。具体的には、コンテンツ処理部１０３は、映像データを取得するための要求を、上記通信規格における制御データとして通信端末２０に送信する。そして、上記要求に応じて通信端末２０が送信してくる映像データを取得する。
【００４６】
なお、コンテンツ処理部１０３は、複数の映像及び音声ソース（以降、単に「ソース」という）のうちのどのソースから映像データ及び音声データを取得するかを切り替えることができる。ソースは、例えば、地上波放送、又は、通信部１０１からの入力である。上記のように通信端末２０が送信してくる映像データを取得する前に、他のソースから映像データ及び音声データを取得する状態であった場合には、コンテンツ処理部１０３は、ソースを通信部１０１からの入力に切り替えた後に、通信端末２０が送信してくる映像データを取得し、処理することができる。
【００４７】
なお、上記要求は、例えば、通信端末２０における所定のアプリケーション（以降、単に「アプリ」ともいう）を起動させる命令として実現される。そして、コンテンツ処理部１０３は、取得した映像データを出力部１０４により表示画面に表示する。また、上記要求は、受付部１０５がユーザによる操作を受け付けた場合に送信されるものであってもよい。なお、コンテンツ処理部１０３は、通信端末２０から映像データとともに音声データを取得し、取得した音声データを出力部１０４によりスピーカから出力（再生）させてもよい。
【００４８】
受付部１０５は、ユーザによる操作を受け付けるユーザインタフェースである。具体的には、受付部１０５は、通知制御部１０２が出力部１０４により表示画面に表示した通知情報に対するユーザによる操作を受け付ける。受付部１０５は、例えば、リモコン受信部（不図示）とリモコンにおける操作ボタン（不図示）とから構成される。
【００４９】
図３Ａは、本実施の形態に係る所在情報の説明図である。
【００５０】
図３Ａに示されるように、所在情報３１１は、ファイル名３０１と、格納場所情報３０２とを含む。ファイル名３０１は、通知情報が格納されたファイルのファイル名である。また、格納場所情報３０２は、通知情報が格納されたファイルの格納場所を示す情報である。
【００５１】
図３Ｂは、本実施の形態に係る表示情報の説明図である。
【００５２】
図３Ｂに示されるように、表示情報３２１は、上記通知情報が出力部１０４により表示画面に表示される際の表示態様を示す情報である。表示情報３２１は、例えば、フェードイン、カットイン又はスライドインなどがあり得る。フェードインとは、文字の色が徐々に変化しながら文字が現れるような効果を有する表示態様である。カットインとは、瞬時に文字が表示されるような効果を有する表示態様である。スライドインとは、文字が滑る（スライドする）ような効果を有する表示態様である。なお、表示情報３２１は本発明に必須の情報ではない。
【００５３】
図４は、本実施の形態に係る表示装置の通信部の詳細な機能ブロック図である。
【００５４】
図４に示されるように、通信部１０１は、ｅＣＢＵＳ送受信部１１１と、コンテンツデータ受信部１１２とを備える。
【００５５】
ｅＣＢＵＳ送受信部１１１は、ＭＨＬ規格におけるｅＣＢＵＳ（ｅｎｈａｎｃｅｄ  Ｃｏｎｔｒｏｌ  Ｂｕｓ）を通じた制御情報の送受信を行う通信モジュールである。ｅＣＢＵＳは、双方向に制御情報を伝送することができる伝送線であり、制御情報は、ＵＳＢ（Ｕｎｉｖｅｒｓａｌ  Ｓｅｒｉａｌ  Ｂｕｓ）データ、ＲＣＰ情報、及び、ＥＤＩＤ（Ｅｘｔｅｎｄｅｄ  ｄｉｓｐｌａｙ  ｉｄｅｎｔｉｆｉｃａｔｉｏｎ  ｄａｔａ）情報を含む。ｅＣＢＵＳ送受信部１１１は、ｅＣＢＵＳを通じて、通信端末２０との間で上記の各種データ又は各種情報を送受信する。なお、上記の各種データ又は各種情報の内容は、通知制御部１０２により生成又は処理される。
【００５６】
コンテンツデータ受信部１１２は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）技術により、音声データ又は映像データを受信する。なお、上記音声データ又は映像データの内容は、コンテンツ処理部１０３により解釈される。
【００５７】
図５は、本実施の形態に係る表示装置の通知制御部の詳細な機能ブロック図である。
【００５８】
図５に示されるように、通知制御部１０２は、ＵＳＢデータ処理部１２１と、ＲＣＰ処理部１２２と、ＥＤＩＤ処理部１２３とを備える。
【００５９】
ＵＳＢデータ処理部１２１は、通信端末２０との間でＵＳＢデータを送受信する。具体的には、ＵＳＢデータ処理部１２１は、ｅＣＢＵＳ送受信部１１１が通信端末２０から受信したＵＳＢデータを解釈する。また、ＵＳＢデータ処理部１２１は、通信端末２０へ送信すべきＵＳＢデータを生成し、ｅＣＢＵＳ送受信部１１１を通じて通信端末２０へ送信する。なお、上記ＵＳＢデータの送受信は、ＭＨＬ規格におけるＵＳＢトンネル技術を用いて実現される。
【００６０】
ＲＣＰ処理部１２２は、通信端末２０との間でＲＣＰによる制御のための情報を送受信する。具体的には、ＲＣＰ処理部１２２は、ｅＣＢＵＳ送受信部１１１が通信端末２０から受信したＲＣＰ情報を解釈し、ＲＣＰ情報に基づいて表示装置１０の動作を制御する。また、ＲＣＰ処理部１２２は、通信端末２０の制御のためのＲＣＰ情報を生成し、ｅＣＢＵＳ送受信部１１１を通じて通信端末２０へ送信する。なお、ＲＣＰ情報とは、機器の電源のＯＮ／ＯＦＦ、又は、動作状態の変更などを機器同士で制御するための情報である。
【００６１】
ＥＤＩＤ処理部１２３は、通信端末２０との間でやりとりされるＥＤＩＤ情報を送受信する。具体的には、ＥＤＩＤ処理部１２３は、ｅＣＢＵＳ送受信部１１１を通じて通信端末２０からＥＤＩＤ情報を受信する。また、ＥＤＩＤ処理部１２３は、表示装置１０のＥＤＩＤ情報をｅＣＢＵＳ送受信部１１１を通じて通信端末２０へ送信する。なお、ＥＤＩＤ情報とは、当該装置の表示画面等に関する情報を所定のフォーマットで記述した情報である。
【００６２】
図６は、本実施の形態に係る表示装置のコンテンツ処理部の詳細な機能ブロック図である。
【００６３】
図６に示されるように、コンテンツ処理部１０３は、映像処理部１３１と、音声処理部１３２とを備える。
【００６４】
映像処理部１３１は、通信端末２０からユーザへの通知に対応する映像データを通信部１０１を通じて取得し、取得した映像データに基づいて表示部１４１に映像を表示する。
【００６５】
音声処理部１３２は、通信端末２０からユーザへの通知に対応する映像データの表示中に出力されるべき音声データを、映像データとともに通信部１０１を通じて取得する。そして、音声処理部１３２は、表示部１４１による映像データの表示中に、取得した音声データを音声出力部１４２により出力する。
【００６６】
図７は、本実施の形態に係る表示装置の出力部の詳細な機能ブロック図である。
【００６７】
図７に示されるように、出力部１０４は、表示部１４１と、音声出力部１４２とを備える。
【００６８】
表示部１４１は、映像を表示する。表示部１４１は、表示画面に相当する。
【００６９】
音声出力部１４２は、音声を出力する。音声出力部１４２は、スピーカに相当する。
【００７０】
図８は、本実施の形態に係る通信端末の機能ブロック図である。
【００７１】
図８に示されるように、通信端末２０は、通信部２０１と、記憶部２０２と、通知制御部２０３と、コンテンツ処理部２０４とを備える。
【００７２】
通信部２０１は、映像データ及び音声データを片方向で伝送可能であり、かつ、制御データを双方向で伝送可能である通信規格に従って、表示装置１０と通信する通信インタフェースである。通信部２０１は、上記通信規格を通じて、映像データ及び音声データを送信することができるが、受信することができない。また、通信部１０１は、上記通信規格を通じて、制御データを送受信することができる。なお、上記通信規格は、表示装置１０の通信部１０１が従う通信規格と同じものである。なお、通信部２０１の詳細な機能ブロックは、図４に示した通信部１０１におけるものと同様である。ただし、通信部１０１がコンテンツデータ受信部１１２を備える代わりに、通信部２０１は、コンテンツデータを受信するコンテンツデータ送信部（不図示）を備える点で異なる。
【００７３】
記憶部２０２は、通知情報が電子ファイルとして格納される記憶領域である。通知情報は、通信端末２０において発生するユーザへの通知の内容を示した情報である。通知とは、例えば、通信端末２０における所定の機能（アプリケーション）において発生したイベント、当該機能が何らかの新情報を取得又は生成したこと等である。通知情報とは、より具体的には、通信端末２０のメール受信アプリケーションが受信した新規メールの内容若しくは受信日時、又は、天気情報を取得するアプリケーションが受信した、天候に関する警報などのことである。また、上記通知情報は、通信端末２０における所定のアプリケーションにより電子ファイルとして格納（保存）される。
【００７４】
また、記憶部２０２は、格納された通知情報を通知制御部２０３により閲覧される。また、記憶部２０２は、外部の装置から通信部２０１を通じてアクセスされることが可能である。外部の装置からアクセスされる場合には、アクセス対象のファイルのファイル名と、当該ファイルの格納場所情報（パス）とを用いてアクセスされる。なお、通信端末２０は、ＵＳＢ規格におけるストレージクラスとして動作することとしてもよい。その場合、通信端末２０は、外部の装置からは、記憶媒体（ストレージ）と同じように振る舞うように見える。
【００７５】
通知制御部２０３は、通信端末２０からユーザへの通知を示す通知情報の所在を示す所在情報を制御データとして通信部２０１を通じて送信する。また、通知制御部２０３は、送信した所在情報に基づいて表示装置１０から取得する要求に応じて通知情報を送信する。上記の制御データの送信は、記憶部２０２内に通知情報が格納されている場合に行われる。なお、通知制御部２０３の詳細な機能ブロックは、図５に示した通知制御部１０２におけるものと同様である。
【００７６】
なお、上記のとおり、所在情報を送信する際に、ＭＨＬ規格におけるスクラッチパッドを用いてもよいし、ＲＣＰを用いてもよい。
【００７７】
コンテンツ処理部２０４は、通信端末２０からユーザへの通知に対応する映像データを通信部２０１を通じて送信する。送信した映像データは、表示装置１０の表示部１４１により表示される。
【００７８】
具体的には、コンテンツ処理部２０４は、表示装置１０による映像データを取得するための要求を、上記通信規格における制御データとして表示装置１０から取得する。コンテンツ処理部２０４は、当該要求を取得したら、当該要求に対応する映像データを表示装置１０へ送信する。上記映像データは、例えば、コンテンツ処理部２０４が当該要求に対応するアプリケーションを起動させ、起動したアプリケーションにより通信端末２０の表示画面に表示される画像（画像データ）を用いることができる。また、上記映像データは、起動したアプリケーションが生成する画像データを用いてもよい。
【００７９】
例えば、通信端末２０のメール受信アプリケーションによる新規メールの内容が通知情報として表示装置１０に送信された場合には、コンテンツ処理部２０４は、メール受信アプリケーションを起動し、通信端末２０の表示画面に表示されるメール受信アプリケーションの画像（画像データ）を映像データとして表示装置１０に送信する。
【００８０】
図９は、本実施の形態に係る表示装置の処理を示すフローチャートである。図１０は、本実施の形態に係る通信端末の処理を示すフローチャートである。図１１は、本実施の形態に係る表示装置及び通信端末の処理を示すシーケンス図である。
【００８１】
まず、図９及び図１１を参照しながら表示装置１０の処理を説明する。
【００８２】
ステップＳ９０１において、通知制御部１０２は、通信端末２０から所在情報を通信部１０１を通じて取得する。この所在情報は、通信端末２０からユーザへの通知を示す通知情報の所在を示す情報である。この所在情報は、図１１の所在情報１１０２に相当する。
【００８３】
ステップＳ９０２において、通知制御部１０２は、ステップＳ９０２で取得した所在情報により示される通信端末２０内のファイル格納場所から通知情報を取得する。通知情報の取得は、例えば、通知制御部１０２は、ファイル格納場所からファイルを取得するための取得要求（図１１の通知情報要求１１０３）を通信端末２０に送信し、当該要求に応じて通信端末２０が送信する通知情報（図１１の通知情報１１０４）を取得することで実現される。
【００８４】
ステップＳ９０３において、通知制御部１０２は、ステップＳ９０３で取得した通知情報を出力部１０４により表示する。ステップＳ９０３は、図１１における処理１１０５に相当する。
【００８５】
ステップＳ９０４において、受付部１０５は、ユーザによる入力を受け付けたか否かを判定する。この入力は、例えば、ステップＳ９０３において表示される通知情報を閲覧したユーザが、通知情報に関連する情報をさらに閲覧したいと考えて行う操作である。ユーザによる入力を受け付けた場合、ステップＳ９０５へ移る。一方、ユーザによる入力を受け付けない場合、再びステップＳ９０４を実行する。つまり、受付部１０５は、ユーザによる入力を受け付けるまで、本ステップで待ち状態をとる。ステップＳ９０４は、図１１における処理１１０６に相当する。
【００８６】
ステップＳ９０５において、コンテンツ処理部２０４は、ＭＨＬ規格により通信端末２０から送信される映像データを出力部１０４により表示するように、映像ソースを変更する。なお、上記とともに、表示装置１０は、ＭＨＬ規格により通信端末２０から送信される音声データを出力部１０４により表示するように、音声ソースを変更してもよい。
【００８７】
ステップＳ９０６において、コンテンツ処理部２０４は、通知情報に対応する通信端末２０上のアプリケーションを起動させるための起動要求（図１１の起動要求１１０７）を通信端末２０に送信する。
【００８８】
ステップＳ９０７において、コンテンツ処理部２０４は、ステップＳ９０６で送信した要求に応じて通信端末２０から送信される映像データ（図１１の映像データ１１０９）を取得する。そして、コンテンツ処理部２０４は、取得した映像データを出力部１０４により表示する（図１１の処理１１１０）。
【００８９】
上記の一連の処理により、表示装置１０は、通信端末２０からユーザへの通知に関わる映像データに基づく映像を表示することができる。
【００９０】
次に、図１０及び図１１を参照しながら通信端末２０の処理を説明する。
【００９１】
ステップＳ１００１において、通信端末２０において、ユーザへの通知が発生する。通知が発生した場合、通信端末２０は、通知の内容を示す通知情報を記憶部２０２にファイルとして格納する。本ステップは、図１１の処理１１０１に相当する。
【００９２】
ステップＳ１００２において、通知制御部２０３は、ステップＳ１００１で格納したファイルのファイル名と、ファイルの格納場所を示す所在情報（図１１の所在情報１１０２）を表示装置１０に送信する。
【００９３】
ステップＳ１００３において、通知制御部２０３は、表示装置１０から通知情報の取得要求（図１１の通知情報要求１１０３）を取得すると、当該要求に応じて通知情報（図１１の通知情報１１０４）を表示装置１０に送信する。
【００９４】
ステップＳ１００４において、コンテンツ処理部２０４は、アプリケーションを起動させるための起動要求（図１１の起動要求１１０７）を表示装置１０から取得したか否かを判定する。要求を取得した場合、ステップＳ１００５へ移る。一方、要求を取得しない場合、再びステップＳ１００４を実行する。つまり、コンテンツ処理部２０４は、アプリケーションを起動させるための要求を取得するまで、本ステップで待ち状態をとる。
【００９５】
ステップＳ１００５において、コンテンツ処理部２０４は、通知情報に対応するアプリケーションを起動する。本ステップは、図１１の処理１１０８に相当する。
【００９６】
ステップＳ１００６において、コンテンツ処理部２０４は、ステップＳ１００５で起動したアプリケーションにより生成される画像データを、映像データ（図１１の映像データ１１０９）として表示装置１０に送信する。
【００９７】
上記の一連の処理により、通信端末２０は、通信端末２０からユーザへの通知に関わる映像データに基づく映像を表示装置１０に表示させることができる。
【００９８】
以上のように、本実施の形態に係る表示装置によれば、通信端末に生じた情報である通知を制御データとして取得及び表示し、その後、上記通知に対応する映像データを表示する。表示装置が何らかの映像を表示しているときであっても通信端末から通知を表示することができるので、ユーザは、通信端末からの通知を閲覧することができる。さらに、ユーザは、その通知に関する映像を表示装置にて閲覧することができる。よって、表示装置は、通信端末に生じた情報を適切にユーザに提示することができる。
【００９９】
（実施の形態の変形例１）
本変形例において、通知情報が画像形式である場合の表示装置１０の処理について説明する。
【０１００】
図１２は、本変形例に係る表示装置及び通信端末の処理を示すシーケンス図である。
【０１０１】
通信端末２０において、ユーザへの通知が発生した場合、実施の形態１と同様に、通信端末２０は、通知の内容を示す通知情報を記憶部２０２にファイルとして格納する。そして、表示装置１０から通知情報の取得要求を取得すると、当該要求に応じて画像形式の通知情報（図１２の通知情報１２０４）を表示装置１０に送信する。ここで、画像形式の通知情報とは、例えば、写真又は絵のような画像の形式の情報のことである。例えば、通信端末２０のメール受信アプリケーションが、写真データが添付されたメールを受信した場合に、新規メールの受信を示す通知情報として、メールに添付された写真の画像データを通知情報とすることができる。
【０１０２】
表示装置１０は、通信端末２０から画像形式の通知情報を取得した場合、取得した通知情報を画像として出力部１０４により表示する（図１２の表示１２０５）。
【０１０３】
以上のようにすることで、ユーザがより直感的に理解しやすい画像形式の通知情報によって、通信端末２０が、ユーザへの通知に関わる映像データに基づく映像を表示装置１０に表示させることができる。
【０１０４】
（実施の形態の変形例２）
本変形例において、通知情報が音声形式である場合の表示装置１０の処理について説明する。
【０１０５】
図１３は、本変形例に係る表示装置及び通信端末の処理を示すシーケンス図である。
【０１０６】
通信端末２０において、ユーザへの通知が発生した場合、実施の形態１と同様に、通信端末２０は、通知の内容を示す通知情報を記憶部２０２にファイルとして格納する。そして、表示装置１０から通知情報の取得要求を取得すると、当該要求に応じて音声形式の通知情報（図１３の通知情報１３０４）を表示装置１０に送信する。ここで、音声形式の通知情報とは、例えば、人間の声、音楽又は効果音のような音声の形式の情報のことである。例えば、通信端末２０の天気情報を取得するアプリケーションが天候に関する警報を受信した場合に、警報の受信を示す通知情報として、所定の効果音を通知情報とすることができる。
【０１０７】
表示装置１０は、通信端末２０から音声形式の通知情報を受信した場合、受信した通知情報を音声として出力部１０４により出力する（図１３の出力１３０５）。
【０１０８】
以上のようにすることで、ユーザがより直感的に理解しやすい音声形式の通知情報によって、通信端末２０が、ユーザへの通知に関わる映像データに基づく映像を表示装置１０に表示させることができる。
【０１０９】
以上、本発明の実施の形態に係る表示装置について説明したが、本発明は、この実施の形態に限定されるものではない。
【０１１０】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１１１】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１１２】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１１３】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１１４】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１１５】
また、本発明は、上記コンピュータプログラムまたは上記デジタル信号を、電気通信回線、無線または有線通信回線、インターネットを代表とするネットワーク、データ放送等を経由して伝送するものとしても良い。
【０１１６】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１１７】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１１８】
さらに、上記実施の形態及び上記変形例をそれぞれ組み合わせるとしても良い。
【産業上の利用可能性】
【０１１９】
本発明は、通信端末に生じた情報を適切にユーザに提示する表示装置に利用可能である。具体的には、テレビジョン受像機、又は、その他の表示装置に利用可能である。
【符号の説明】
【０１２０】
１０    表示装置
２０    通信端末
３０    ケーブル
１０１、２０１    通信部
１０２、２０３    通知制御部
１０３、２０４    コンテンツ処理部
１０４    出力部
１０５    受付部
１１１    ｅＣＢＵＳ送受信部
１１２    コンテンツデータ受信部
１２１    ＵＳＢデータ処理部
１２２    ＲＣＰ処理部
１２３    ＥＤＩＤ処理部
１３１    映像処理部
１３２    音声処理部
１４１    表示部
１４２    音声出力部
２０２    記憶部
３１１    所在情報
３２１    表示情報
【図１】
2015192400.tif 000003
【図２】
2015192400.tif 000004
【図３Ａ】
2015192400.tif 000005
【図３Ｂ】
2015192400.tif 000006
【図４】
2015192400.tif 000007
【図５】
2015192400.tif 000008
【図６】
2015192400.tif 000009
【図７】
2015192400.tif 000010
【図８】
2015192400.tif 000011
【図９】
2015192400.tif 000012
【図１０】
2015192400.tif 000013
【図１１】
2015192400.tif 000014
【図１２】
2015192400.tif 000015
【図１３】
2015192400.tif 000016